(57)【要約】  Ｓメータ検出部を備え、検出されたＳメータレベルに基づいて放送局サーチを行う放送受信機において、周波数を１ステップずつ切り替えることにより、バンド内の全周波数に対して検出されたＳメータレベルを一時的に保存する放送局検出保存部と、一時保存されたＳメータレベルが予め設定された所定値（Ｂ）以上である周波数を放送局の可能性があると判定し、Ｓメータレベルが所定値（Ｂ）より小さい周波数を放送局の可能性がないと判定する放送局判定部と、放送局の可能性がないと判定された周波数全てのＳメータレベルに基づいてノイズレベルを算出するノイズレベル算出部と、算出されたノイズレベルに基づいて、各周波数が放送局であるか否かの判定に用いるシークストップレベル（Ａ）を決定するストップレベル決定部とを備えるようにしたので、どのような状況であっても、その時の状況に応じた精度の高い放送局サーチを実現することができる。
2013093956.tif 000002
【特許請求の範囲】
【請求項１】
Ｓメータ検出部を備え、当該Ｓメータ検出部により検出されたＳメータレベルに基づいて放送局サーチを行う放送受信機において、
周波数を１ステップずつ切り替えることにより、バンド内の全周波数に対して検出された前記Ｓメータレベルを一時的に保存する放送局検出保存部と、
前記放送局検出保存部に一時保存されたＳメータレベルが予め設定された所定値（Ｂ）以上である周波数を放送局の可能性があると判定し、前記Ｓメータレベルが前記所定値（Ｂ）より小さい周波数を放送局の可能性がないと判定する放送局判定部と、
前記放送局判定部により前記放送局の可能性がないと判定された周波数全てのＳメータレベルに基づいてノイズレベルを算出するノイズレベル算出部と、
前記ノイズレベル算出部により算出されたノイズレベルに基づいて、各周波数が放送局であるか否かの判定に用いるシークストップレベル（Ａ）を決定するストップレベル決定部とを備えた
ことを特徴とする放送受信機。
【請求項２】
前記放送局判定部は、
放送局の可能性があると判定された周波数の数が、予め設定された所定の数より多い場合には、少なくとも前記Ｓメータレベルに基づいて、前記放送局の可能性があると判定される周波数の数が前記所定の数以下になるように絞り込みを行い、
当該絞り込みを行った所定の数の周波数を放送局の可能性があると判定し、その他の周波数を放送局の可能性がないと判定する
ことを特徴とする請求項１記載の放送受信機。
【請求項３】
前記ストップレベル決定部は、前記算出されたノイズレベルが予め設定された所定範囲（Ｃ）より高い場合には、前記シークストップレベル（Ａ）を前記所定値（Ｂ）より高く設定し、前記ノイズレベルが前記所定範囲（Ｃ）より低い場合には、前記シークストップレベル（Ａ）を前記所定値（Ｂ）より低く設定することにより、前記算出されたノイズレベルに応じて前記シークストップレベル（Ａ）を可変制御する
ことを特徴とする請求項１記載の放送受信機。
【請求項４】
現在位置を取得する位置取得部と、
現在の日付および時刻を取得する時刻取得部と、
位置ごと、時刻ごと、月（季節）ごとの過去のノイズレベルを記憶するノイズレベル記憶部とをさらに備え、
前記ストップレベル決定部は、
前記位置取得部により取得された現在位置と、前記時刻取得部により取得された現在の日付と時刻とに対応する、前記ノイズレベル記憶部に記憶されている過去のノイズレベルを読み出し、
当該読み出した過去のノイズレベルに応じて前記シークストップレベル（Ａ）を可変制御する
ことを特徴とする請求項１記載の放送受信機。
【請求項５】
Ｓメータ検出部を備え、当該Ｓメータ検出部により検出されたＳメータレベルに基づいて放送局サーチを行う放送受信機の放送局サーチ方法であって、
放送局検出保存部が、周波数を１ステップずつ切り替えることにより、バンド内の全周波数に対して検出された前記Ｓメータレベルを一時的に保存するステップと、
放送局判定部が、前記放送局検出保存部に一時保存されたＳメータレベルが予め設定された所定値（Ｂ）以上である周波数を放送局の可能性があると判定し、前記Ｓメータレベルが前記所定値（Ｂ）より小さい周波数を放送局の可能性がないと判定するステップと、
ノイズレベル算出部が、前記放送局判定部により前記放送局の可能性がないと判定された周波数全てのＳメータレベルに基づいてノイズレベルを算出するステップと、
ストップレベル決定部が、前記ノイズレベル算出部により算出されたノイズレベルに基づいて、各周波数が放送局であるか否かの判定に用いるシークストップレベル（Ａ）を決定するステップとを備えた
ことを特徴とする放送受信機の放送局サーチ方法。
【請求項６】
請求項１から請求項４のうちのいずれか１項記載の放送受信機を備えたことを特徴とするナビゲーション装置。
【発明の詳細な説明】
【技術分野】
【０００１】
この発明は、周波数に対してチューニングを行うラジオ受信機などの放送受信機、放送受信機の放送局サーチ方法、および、放送受信機を備えたナビゲーション装置に関するものである。
【背景技術】
【０００２】
一般に、夜間は、電離層での電波の反射が大きくなるため、放送局からの電波が広範囲に届きやすくなり、現在地から遠く離れた場所で放送されたＡＭ放送が聞きやすくなる一方で、混信も多く発生する。そのため、放送局サーチを行った場合に、放送局でない周波数を放送局としてみなしてしまい、正しく放送局サーチを行うことができない問題が発生する。【０００３】
この解決策として、例えば特許文献１には、日の出／日の入りの時刻や季節に応じてシークモードを切替え、シークストップレベルを何種類かに切り替える方法が開示されている。
【先行技術文献】
【特許文献】
【０００４】
【特許文献１】特開２００６−２７９４７６号公報
【発明の概要】
【発明が解決しようとする課題】
【０００５】
しかしながら、このような従来技術では、送電線の近くで発生する局地的な外乱や、車両機器から一時的に発生されるノイズによる影響が考慮されていないため、シークストップレベルが低いモードで一時的なノイズが混入すると、放送局でない周波数を、放送局とみなしてしまう誤検知が発生しやすくなる、という課題があった。また夜間にはシークストップレベルが高いモードとなる処理が施されているが、このモードのときに建物内など電波が届きにくい場所に移動した場合には、シークストップレベルが高いために放送局を検出しにくい、という課題もあった。【０００６】
この発明は、上記のような課題を解決するためになされたものであり、どのような状況であっても、精度の高い放送局サーチを行うことができる放送受信機、その放送受信機の放送局サーチ方法、および、その放送受信機を備えたナビゲーション装置を提供することを目的とする。
【課題を解決するための手段】
【０００７】
上記目的を達成するため、この発明は、Ｓメータ検出部を備え、当該Ｓメータ検出部により検出されたＳメータレベルに基づいて放送局サーチを行う放送受信機において、周波数を１ステップずつ切り替えることにより、バンド内の全周波数に対して検出された前記Ｓメータレベルを一時的に保存する放送局検出保存部と、前記放送局検出保存部に一時保存されたＳメータレベルが予め設定された所定値（Ｂ）以上である周波数を放送局の可能性があると判定し、前記Ｓメータレベルが前記所定値（Ｂ）より小さい周波数を放送局の可能性がないと判定する放送局判定部と、前記放送局判定部により前記放送局の可能性がないと判定された周波数全てのＳメータレベルに基づいてノイズレベルを算出するノイズレベル算出部と、前記ノイズレベル算出部により算出されたノイズレベルに基づいて、各周波数が放送局であるか否かの判定に用いるシークストップレベル（Ａ）を決定するストップレベル決定部とを備えたことを特徴とする。
【発明の効果】
【０００８】
この発明の放送受信機、その放送受信機の放送局サーチ方法、および、その放送受信機を備えたナビゲーション装置によれば、放送局の可能性がないと判定された周波数全てのＳメータレベルから算出されたノイズレベルに基づいて、シークストップレベルをその時の状況に応じて決定することにより、どのような状況であっても、その時の状況に応じた精度の高い放送局サーチを実現することができる。
【図面の簡単な説明】
【０００９】
【図１】実施の形態１における放送受信機の構成を示すブロック図である。
【図２】放送局サーチの処理を示すフローチャートである。
【図３】実施の形態１におけるシークストップレベル決定シーケンスの処理を示すフローチャートである。
【図４】バンド内の各周波数の電界レベルを示すグラフの一例である。
【図５】実施の形態２における放送受信機の構成を示すブロック図である。
【図６】実施の形態２におけるシークストップレベル決定シーケンスの処理を示すフローチャートである。
【図７】実施の形態３におけるナビゲーション装置の構成を示すブロック図である。
【発明を実施するための形態】
【００１０】
以下、この発明の実施の形態について、図面を参照しながら詳細に説明する。
実施の形態１．
一般的にラジオ受信機などの放送受信機には、周波数の順方向の選局を表すＦＦキーや、周波数の逆方向の選局を表すＲＥＷキーが備わっており、例えば、ＦＦキーを押したときに、自動的に現在受信している周波数よりも高い周波数での放送局の検索が行われ、放送局があった場合にはその周波数でストップするシークストップ機能がある。また各周波数について放送局の検索を行い、その結果を表示するオートストア機能や現在受信可能な放送局の一覧を表示する放送局リスト表示機能がある。これらの機能では放送局を検出する必要があり、この発明は、その放送局サーチの手段として実施されるものである。
【００１１】
図１は、この発明の実施の形態１における放送受信機の構成を示すブロック図である。この発明の実施の形態１における放送受信機１は、例えば、車両などの移動体に搭載されたＡＭラジオ受信機であり、チューナ１０および制御部２０を備えており、必要に応じて音声出力部３０および表示部４０に情報を出力する。なお、以下の説明においては、この放送受信機１として、車両に搭載されたＡＭラジオ受信機を例に説明する。
【００１２】
チューナ１０は、同調部１１、中間周波数変換部１２、復調部１３、Ｓメータ検出部１４、周波数オフセット検出部１５、および、振幅変調検出部１６により構成されている。同調部１１は、受信周波数の制御を行う。中間周波数変換部１２は、復調に必要な中間周波数（ＩＦ）に変換する。復調部１３は、中間周波数を音声信号に復調する。Ｓメータ検出部１４は、電波の強さを示すＳメータレベル（シグナルメータレベル、電界レベル）を検出する。周波数オフセット検出部１５は、周波数オフセットを検出する。振幅変調検出部１６は、ＡＭ変調度を検出する。
また、制御部２０は、放送局検出保存部２１、放送局判定部２２、ノイズレベル算出部２３、ストップレベル決定部２４、および、放送局リスト作成部２５により構成されている。
【００１３】
チューナ１０では、同調部１１で各周波数へのチューニングが実行され、中間周波数変換部１２で中間周波数に変換される。中間周波数からＳメータ検出部１４、周波数オフセット検出部１５、振幅変調検出部１６でそれぞれＳメータレベル、周波数オフセット、振幅変調度といった電波状況を示す情報が検出され、その情報が制御部２０の放送局検出保存部２１に送信される。
制御部２０では、放送局検出保存部２１が各周波数の電波状況を示す情報を一時的にメモリに格納し、放送局判定部２２が各周波数のデータ（各周波数の電波状況を示す情報）をもとに放送局の可能性がある周波数と、放送局の可能性がない周波数を判定する。ノイズレベル算出部２３では、各周波数の判定結果と各周波数のデータに基づいてノイズレベルを算出し、ストップレベル決定部２４では、得られたノイズレベルからシークストップレベルを算出および可変制御する。このノイズレベルとは、放送局の可能性がない周波数の電界レベル（Ｓメータレベル）から算出される値であり、算出されたノイズレベルが高い場合には放送局ありとみなす電界レベル（シークストップレベル）を上げ（高く設定し）、ノイズレベルが低い場合にはシークストップレベルを下げる（低く設定する）、という制御を行う。これにより、現在の電波状況下に見合った最適なシークストップレベルでの放送局サーチを行うことができる。
【００１４】
そして、放送局判定部２２では、算出されたシークストップレベルを用いて、各周波数に対し、放送局の有無を再度判定する。放送局リスト作成部２５では、放送局ありと判定された周波数のリストを作成し、ユーザが所望する情報を表示する。
このように、算出されたノイズレベルに応じて、シークストップレベルを決定および変化させることにより、放送局の有無に関しての誤判定を防止し、精度の高い放送局サーチを実現することができる。
【００１５】
図２は、放送局サーチの処理を示すフローチャートである。
まず初めに、放送局サーチを開始するにあたり、同調部１１が、各バンドの周波数ステップごとに全周波数ステップに対してチューニングを行い、信号を受信する（ステップＳＴ１１）。そして、Ｓメータ検出部１４、周波数オフセット検出部１５、振幅変調検出部１６がそれぞれ、各周波数の電界の強度を示すＳメータレベル、周波数オフセット、振幅変調度を検出し、放送局検出保存部２１が、それらを一時的にメモリに保存する（ステップＳＴ１２）。これら一時的にメモリに蓄えられた各周波数の電波状況から、放送局判定部２２が各周波数について放送局の可能性があるか否かを判定し、ノイズレベル算出部２３がノイズレベルを算出し、ストップレベル決定部２４がシークストップレベルＡを決定する、というシークストップレベル決定シーケンスを実行し、シークストップレベルＡを算出する（ステップＳＴ１３）。夜間など電波が遠距離まで届きやすい状況や、車両機器からＡＭバンド内に発生するノイズが大きい状況下では、検出されるノイズレベルも高くなる。このノイズレベルを検知し、シークストップレベルＡを算出し、状況に応じて変化させることで、受信状態が良好な周波数のみを検出することができる。なお、このステップＳＴ１３におけるシークストップレベル決定シーケンスの詳細については、図３を用いて後述する。
【００１６】
その後、放送局判定部２２が、各周波数のＳメータレベルが算出されたシークストップレベルＡ以上か、周波数オフセットが所定の値以下か、かつ、振幅変調度が所定の範囲内かを確認し、全てを満たす周波数について、放送局ありの周波数であると判定する（ステップＳＴ１４）。最後に、放送局リスト作成部２５が、放送局判定部２２において放送局ありと判定された周波数をメモリに格納し、ユーザが所望している放送局リストなどの情報を作成して提示する（ステップＳＴ１５）。例えば、現在受信している周波数よりも高い周波数でのシークストップ機能が実行されたのであれば、現在受信している周波数よりも高い周波数で最も近い、放送局ありと判定された周波数を表示する。
【００１７】
図３は、実施の形態１におけるシークストップレベル決定シーケンスの処理を示すフローチャートである。これは、前述の図２におけるステップＳＴ１３の処理動作を詳細に示したものであり、この図３を参照しながら、シークストップレベルを決定するまでの処理を説明する。
各バンド内の周波数ステップごとに、全周波数ステップの電波状況が一時的にメモリに格納された状態（図２のステップＳＴ１１，ＳＴ１２）で、シークストップレベル決定シーケンスが開始される。このシーケンスでは、まず各周波数ごとに放送局の有無の可能性について一次判定を実施するため、周波数をバンド内の最小周波数（もっとも低い周波数）に設定する（ステップＳＴ２１）。一次判定として、所定のシークストップレベル（初期設定時のデフォルト値として予め設定された所定値Ｂ）を用いて、Ｓメータレベルがその所定値Ｂ以上か否かの判定（ステップＳＴ２２）と、周波数オフセットが所定の値以下か否かの判定（ステップＳＴ２３）と、振幅変調度が所定の範囲内か否かの判定（ステップＳＴ２４）を実施する。これらのステップＳＴ２３〜ＳＴ２５の判定で、いずれのステップ（ステップＳＴ２２〜ＳＴ２４）においても判定がＹＥＳの場合には、その周波数は放送局の可能性がある周波数であると判定する（ステップＳＴ２５）。一方、いずれか１つでもＮＯの場合、すなわち、Ｓメータレベルが所定値Ｂより小さい（ステップＳＴ２２のＮＯの場合）か、周波数オフセットが所定の値より大きい（ステップＳＴ２３のＮＯの場合）か、振幅変調度が所定の範囲内にない場合（ステップＳＴ２４のＮＯの場合）には、その周波数は放送局の可能性がない周波数であると判定する（ステップＳＴ２６）。このステップＳＴ２２〜ＳＴ２６までの判定を、バンド内全周波数ステップについて実施するため、バンド内の全周波数ステップの判定が完了するまで（ステップＳＴ２７のＮＯの場合）、周波数を１ステップずつ進めて（ステップＳＴ２８）、繰り返す。
【００１８】
この際、夜間など電波が遠距離まで届きやすい状況や、車両機器からＡＭバンド内に発生するノイズが大きい状況下で、所定のシークストップレベル（所定値Ｂ）を用いて放送局の有無の可能性を判定した場合、多くの周波数で放送局の可能性ありと誤判定してしまい、ノイズレベルを正しく算出できない可能性がある。
このため、放送局の可能性のある周波数の数をカウントし、一定数より多くの周波数を放送局の可能性ありと判定している場合は、放送局ありと誤判定している可能性が高いと考えられる。
【００１９】
そこで、放送局の可能性ありと判定された周波数の数が、一定数以下か否かを判定する（ステップＳＴ２９）。一定数より多くの周波数を放送局ありと判定している場合（ステップＳＴ２９のＮＯの場合）は、放送局の可能性の高い順に、放送局の可能性のある周波数の数が一定数以下となるように絞り込みを行う（ステップＳＴ３０）。
具体的には、例えばある地域において、ＡＭ放送局の周波数の数が１０個であるとわかっている場合、放送局の可能性のある周波数の数が１０個より多ければ（ステップＳＴ２９のＮＯの場合）、放送局の可能性のある周波数の数が１０個以下となるように絞り込みを行う（ステップＳＴ３０）。この絞り込みを行うための条件としては、例えば、Ｓメータレベルが高い順に１０個を絞り込むようにしてもよいし、Ｓメータレベルと、周波数オフセットと、振幅変調度との組み合わせにより、放送局の可能性について順位づけを行って、上位１０個に絞り込むようにするなど、適宜設定すればよい。
このように、放送局の可能性がある周波数の数が所定の数以下になるように絞り込みを行うことにより、ノイズレベル算出の精度を上げ、より最適なシークストップレベルを決定することができる。
【００２０】
そして、上記の判定や絞り込みの後に、放送局の可能性がない周波数のＳメータレベルから、ノイズレベルＸを算出する（ステップＳＴ３１）。このノイズレベルＸの算出については、例えば、放送局の可能性がない周波数全てのＳメータレベルの平均値を算出するなどして、ノイズレベルＸとすればよい。
【００２１】
このようにして算出されたノイズレベルＸが所定範囲Ｃより大きい場合（ステップＳＴ３２のＹＥＳの場合）には、シークストップレベルＡを初期設定時の所定値Ｂより高く設定する処理を実施する（ステップＳＴ３３）。一方、所定範囲Ｃより小さい場合（ステップＳＴ３４のＹＥＳの場合）には、シークストップレベルＡを初期設定時の所定値Ｂより低く設定する処理を実施する（ステップＳＴ３５）。また、ノイズレベルＸが所定範囲Ｃ内であれば（ステップＳＴ３２がＮＯ、かつ、ステップＳＴ３４がＮＯの場合）、シークストップレベルＡを初期設定時の所定値Ｂのままとする（ステップＳＴ３６）。なお、所定範囲Ｃは、ノイズが少なく、そのノイズが受信に影響を与えないような一般的によくある電波状態においては、ノイズレベルとしてはこの範囲内に入るであろうと想定される電界レベルとして、予め設定された範囲である。（図４（ａ）参照）
【００２２】
このシーケンスにおける処理動作について、具体例を用いて説明する。
図４は、バンド内で３つの電波が各放送局から放送されている場合の、各周波数の電界レベルを示すグラフの一例である。このとき、シークストップレベルＡとしては、初期設定時の所定値Ｂとして２０ｄＢμＶが設定されている。なお、この例では、放送局である周波数の数は３つであることが予めわかっているものとする。
この場合、図２に示すステップＳＴ１１〜ＳＴ１２で、バンド内の全周波数に対して１ステップごとに、各周波数のＳメータレベル、周波数オフセット、振幅変調度を検出してメモリに記録した後、図３に示すシークストップレベル決定シーケンスが開始される。そして、バンド内の最小周波数から順に、各周波数のＳメータレベルが所定値Ｂ（２０ｄＢμＶ）以上か、周波数オフセットが所定の値以下か、振幅変調度が所定の範囲内かを判定し、放送局の可能性がある周波数であるか否かを判定し、これをバンド内の全周波数ステップでの判定が完了するまで、１ステップずつ進めて繰り返す（ステップＳＴ２１〜ＳＴ２８）。
【００２３】
そして、シークストップレベルＡより高い電波は「放送局の可能性あり」と判定されるため、図４（ａ）のケースでは、６００ｋＨｚ、９００ｋＨｚ、１２００ｋＨｚの３つの周波数のＳメータレベルがシークストップレベルＡより高く、かつ、周波数オフセットが所定の値以下で、かつ、振幅変調度が所定の範囲内であると認識された場合が想定され、６００ｋＨｚ、９００ｋＨｚ、１２００ｋＨｚの３つの周波数が放送局の可能性があると判定されたとする。その結果、放送局の可能性がある周波数の数は、予めわかっている３つという一定数以下であるので（ステップＳＴ２９のＹＥＳの場合）、ノイズレベルＸを算出する。ここでは、放送局の可能性がない周波数であると判定された周波数全ての電波の平均をとることにより、グラフの網掛け部分のフロアノイズレベルＸが算出される。
このように、放送局の可能性のない周波数全てのＳメータレベルからノイズレベルを算出することにより、電離層の影響で増大されるフロアノイズの量や、局地的に発生する広帯域のノイズ量を定量的に測定することができ、また、その時の電波状況に即した、受信を妨害するノイズ量を把握することが可能となる。
【００２４】
また、ノイズレベルＸと比較するための所定範囲Ｃとしては、図４（ａ）の破線で囲まれた斜線部が予め設定されているものとする。その結果、ノイズレベルＸは所定範囲Ｃ内にあるので（ステップＳＴ３２がＮＯ，かつ、ステップＳＴ３４がＮＯの場合）、シークストップレベルＡを、初期設定時の所定値Ｂのままとして決定し（ステップＳＴ３６）、終了する。
その後、図２のフローチャートに戻り、最終的に、その決定されたシークストップレベルＡ（このケースでは所定値Ｂ＝２０ｄＢμＶ）を用いて、ＳメータレベルがシークストップレベルＡ以上、かつ、周波数オフセットが所定の値以下、かつ、振幅変調度が所定の範囲内である周波数を、「放送局あり」と判定する（ステップＳＴ１４）。これにより、最終的にも６００ｋＨｚ、９００ｋＨｚ、１２００ｋＨｚの周波数が「放送局あり」と判定され、その「放送局あり」と判定した周波数から、放送局リストを作成したり、現在の受信局からもっとも周波数の近い放送局をユーザに提示したり、といった機能を実行する（ステップＳＴ１５）。
【００２５】
一方、図４（ｂ）は、夜になってきて電離層の影響で電波が届きやすくなり、各放送局の電波が強くなるとともに、フロアノイズレベルも上昇した状態の、各周波数の電界レベルを示すグラフである。この状態の場合には、１ステップごとの全周波数で初期設定時のシークストップレベル（所定値Ｂ＝２０ｄＢμＶ）より高い電界レベルが検出されてしまうため、多くの周波数を「放送局の可能性あり」と誤判定してしまう。
この場合にも、図４（ａ）のケースと同様に、図２に示すステップＳＴ１１〜ＳＴ１２で、バンド内の全周波数に対して１ステップごとに、各周波数のＳメータレベル、周波数オフセット、振幅変調度を検出してメモリに記録した後、図３に示すシークストップレベル決定シーケンスが開始される。そして、バンド内の最小周波数から順に、各周波数のＳメータレベルが所定値Ｂ（２０ｄＢμＶ）以上か、周波数オフセットが所定の値以下か、振幅変調度が所定の範囲内かを判定し、放送局の可能性がある周波数であるか否かを判定し、これをバンド内の全周波数ステップの判定が完了するまで、１ステップずつ進めて繰り返す（ステップＳＴ２１〜ＳＴ２８）。
【００２６】
そして、シークストップレベルＡより高い電波は「放送局の可能性あり」と判定されるため、図４（ｂ）のケースでは、全周波数のＳメータレベルがシークストップレベルＡより高く、かつ、周波数オフセットが所定の値以下で、かつ、振幅変調度が所定の範囲内であると認識された場合が想定され、全周波数が放送局の可能性があると判定されたとする。その結果、放送局の可能性がある周波数の数は、予めわかっている３つという一定数より多くなるので（ステップＳＴ２９のＮＯの場合）、放送局の可能性がある周波数の数が３つ以下になるように絞り込みを行う（ステップＳＴ３０）。ここでは、Ｓメータレベルが高い順に３個を絞り込むこととすると、６００ｋＨｚ、９００ｋＨｚ、１２００ｋＨｚの３つの周波数が、放送局の可能性がある周波数ということになる。そして、放送局の可能性がない周波数であると判定された周波数全ての電波の平均をとることにより、グラフの網掛け部分のフロアノイズレベルＸが算出される。
このように、放送局の可能性のない周波数全てのＳメータレベルからノイズレベルを算出することにより、電離層の影響で増大されるフロアノイズの量や、局地的に発生する広帯域のノイズ量を定量的に測定することができ、また、その時の電波状況に即した、受信を妨害するノイズ量を把握することが可能となる。
【００２７】
また、ノイズレベルＸと比較するための所定範囲Ｃとしては、図４（ａ）と同様に、図４（ｂ）の破線で囲まれた斜線部が予め設定されているものとする。その結果、ノイズレベルＸは所定範囲Ｃより高いので（ステップＳＴ３２のＹＥＳの場合）、シークストップレベルＡを、初期設定時の所定値Ｂより高く設定した値に決定し（ステップＳＴ３３）、終了する。ここでは、例えば、シークストップレベルＡ＝「初期設定時の所定値Ｂ」＋「ノイズレベルＸ」×「係数」という式により算出することとし、ノイズレベルＸ＝２４ｄＢμＶ、係数＝０．５であったとすると、新しいシークストップレベルＡ＝２０＋２４×０．５＝３２ｄＢμＶとなる。すなわち、図４（ｃ）に示すように、所定値Ｂ（＝２０ｄＢμＶ）より高い値Ｂ’（３２ｄＢμＶ）に決定される。
【００２８】
その後、図２のフローチャートに戻り、最終的に、その決定されたシークストップレベルＡ（このケースでは所定値Ｂより高い値Ｂ’＝３２ｄＢμＶ）を用いて、ＳメータレベルがシークストップレベルＡ以上、かつ、周波数オフセットが所定の値以下、かつ、振幅変調度が所定の範囲内である周波数を、「放送局あり」と判定する（ステップＳＴ１４）。これにより、最終的にも６００ｋＨｚ、９００ｋＨｚ、１２００ｋＨｚの周波数が「放送局あり」と判定され、その「放送局あり」と判定した周波数から、放送局リストを作成したり、現在の受信局からもっとも周波数の近い放送局をユーザに提示したり、といった機能を実行する（ステップＳＴ１５）。
【００２９】
なお、ノイズレベルＸが所定範囲Ｃより低い場合（ステップＳＴ３４のＹＥＳの場合）については図示および説明を省略するが、ステップＳＴ３３において使用した演算式と同様に、ステップＳＴ３５においては、例えば、シークストップレベルＡ＝「初期設定時の所定値Ｂ」−「ノイズレベルＸ」×「係数」という式により算出することとすればよい。また、係数についても、適宜設定すればよいものであるが、所定値ＢとノイズレベルＸとに応じて、この係数を調整することにより、より精度よく放送局サーチを行うことができる。
【００３０】
以上のように、この実施の形態１によれば、放送局の可能性のない周波数全てのＳメータレベルからノイズレベルを算出することにより、電離層の影響で増大されるフロアノイズの量や、局地的に発生する広帯域のノイズ量を定量的に測定することができ、また、その時の電波状況に即した、受信を妨害するノイズ量を把握することが可能となる。また、放送局の可能性がないと判定された周波数全てのＳメータレベルから算出されたノイズレベルに基づいて、シークストップレベルをその時の状況に応じて変化させることにより、どのような状況であっても、その時の状況に応じた精度の高い放送局サーチを実現することができる。
また、放送局の可能性があると判定された周波数の数が妥当であるか否かを判断して、放送局の可能性がある周波数の数が所定の数以下になるように絞り込みを行うことにより、ノイズレベル算出の精度を上げ、より最適なシークストップレベルを決定することができる。
【００３１】
実施の形態２．
図５は、この発明の実施の形態２における放送受信機の構成を示すブロック図である。なお、実施の形態１で説明したものと同様の構成には、同一の符号を付して重複した説明を省略する。以下に示す実施の形態２における放送受信機２は、実施の形態１と同様、例えば、車両などの移動体に搭載されたＡＭラジオ受信機であり、チューナ１０および制御部２０を備えているが、実施の形態１と比べると、制御部２０が位置取得部２６、時刻取得部２７およびノイズレベル記憶部２８とをさらに備えている。なお、実施の形態１と同様に、以下の説明においては、この放送受信機２として、車両に搭載されたＡＭラジオ受信機を例に説明する。
【００３２】
位置取得部２６は、車両の現在位置を公知の技術により取得するものである。また、時刻取得部２７は、現在の日付および時刻を公知の技術により取得するものである。そして、ノイズレベル算出部２３で算出されたノイズレベルは、位置取得部２６により取得された現在位置と、時刻取得部２７により取得された現在の日付および時刻とともに、ノイズレベル記憶部２８に格納され、地域（位置）ごと、時刻ごと、月（季節）ごとなどで、データベース化される。また、ストップレベル決定部２４では、ノイズレベル算出部２３からのノイズレベルと、ノイズレベル記憶部２８に記憶されている過去のノイズレベルから、シークストップレベルを算出する。このように、過去のノイズレベルをシークストップレベル算出過程に用いることにより、外乱が比較的多い傾向にある場所や夜間など、ノイズレベルが高くなりやすい場合には、予めシークストップレベルを上げておくことが可能となる。
【００３３】
放送局サーチの処理を示すフローチャートについては、実施の形態１における図２と同じであるので、図示および説明を省略する。
図６は、実施の形態２におけるシークストップレベル決定シーケンスの処理を示すフローチャートである。なお、ステップＳＴ２１〜ＳＴ３１までは、実施の形態１における図３に示すフローチャートと同じであるので、説明を省略する。
【００３４】
そして、ステップＳＴ３１において、放送局の可能性がない周波数のＳメータレベルから、ノイズレベルＸを算出した後、位置取得部２６が取得した現在位置、時刻取得部２７が取得した現在の日付および時刻をもとに、ノイズレベル記憶部２８に格納されたデータベースから、過去に、同じ位置（地域）、時刻、月（季節）において計算されたノイズレベルＹを読み出す（ステップＳＴ４１）。読み出した過去のノイズレベルＹが、所定範囲Ｃより大きい値だった場合（ステップＳＴ４２のＹＥＳの場合）には、ノイズレベルが高くなりやすい状況にあると判別し、ステップＳＴ３１で算出したノイズレベルＸの値を予め高くしておく処理を実施する（ステップＳＴ４３）。これは例えば、「過去のノイズレベルＹ」×「係数」をステップＳＴ３１で算出したノイズレベルＸにプラスするなど、すればよい。
一方、過去のノイズレベルＹが所定範囲Ｃ内またはそれ以下だった場合（ステップＳＴ４２のＮＯの場合）には、ステップＳＴ３１で算出したノイズレベルＸの値をそのまま、シークストップレベルＡの決定に使用する。
【００３５】
その後、実施の形態１における図３に示すフローチャートのステップＳＴ３２〜ＳＴ３６と同様に、算出されたノイズレベルＸが所定範囲Ｃより大きい場合（ステップＳＴ３２のＹＥＳの場合）には、シークストップレベルＡを初期設定時の所定値Ｂより高く設定する処理を実施する（ステップＳＴ３３）。一方、所定範囲Ｃより小さい場合（ステップＳＴ３４のＹＥＳの場合）には、シークストップレベルＡを初期設定時の所定値Ｂより低く設定する処理を実施する（ステップＳＴ３５）。また、ノイズレベルＸが所定範囲Ｃ内であれば（ステップＳＴ３２がＮＯ、かつ、ステップＳＴ３４がＮＯの場合）、シークストップレベルＡを初期設定時の所定値Ｂのままとする（ステップＳＴ３６）。
【００３６】
これにより、例えば、夜間など、通常であればノイズレベルが高くなりやすい場合に、偶然その時、山の近くを通過中でノイズレベルが低かっただけ、というような場合など、ステップＳＴ３１で算出されたノイズレベルＸが所定範囲Ｃ内であったとしても、その場所を過ぎれば急にノイズレベルＸが高くなって、放送局でない周波数を放送局であると誤判定してしまう、という問題が生じにくくなる。すなわち、ノイズレベル記憶部２８から読み出した過去のノイズレベルＹが所定範囲Ｃ内にない場合には、ステップＳＴ３１で算出されたノイズレベルＸの値にかかわらず、そのノイズレベルＸの値を高くする処理を実施するため、シークストップレベルＡを所定値Ｂより高く設定する処理を行う可能性が高くなり、街中に戻ってきた場合に急に雑音が入ることもなく、安定した放送局サーチを実現することができる、という効果がある。
【００３７】
また、直前に算出したノイズレベルのみからシークストップレベルを算出し設定した場合、その時の電波状況に即したシークストップレベルが得られるが、各周波数の電波状況を取得した際に一時的に（一瞬）ノイズレベルが上がった場合であってもシークストップレベルを上げてしまうため、シークストップの結果が安定しない可能性がある。そのため、位置（地域）ごと、時刻ごと、月（季節）ごとのデータベースから、ノイズレベルの履歴を確認することにより、算出されたシークストップレベルの妥当性を把握したり、ノイズレベルの履歴を加味してシークストップレベルを緩やかに変化させたりすることで、シークストップ結果の安定化をはかることができる。
【００３８】
以上のように、この実施の形態２によれば、実施の形態１と同様の効果に加え、過去のノイズレベルを加味してシークストップレベルを変化させることにより、安定した放送局サーチを実現することができる。
【００３９】
実施の形態３．
図７は、この発明の実施の形態３におけるナビゲーション装置の構成を示すブロック図である。なお、実施の形態１，２で説明したものと同様の構成には、同一の符号を付して重複した説明を省略する。以下に示す実施の形態３におけるナビゲーション装置６０は、例えば、車両などの移動体に搭載されており、車両の現在位置を検出する位置検出部６１と、実施の形態２における放送受信機２と、音声出力部３０および表示部４０を備えている。
【００４０】
すなわち、この実施の形態３におけるナビゲーション装置６０は、位置検出部６１、音声出力部３０および表示部４０を備えている通常のナビゲーション装置が、実施の形態２における放送受信機２の機能も備えるものである。そして、位置取得部２６は、車両に搭載されているナビゲーション装置６０の位置検出部６１により検出された車両の現在位置を取得する。
なお、図示および説明は省略するが、このナビゲーション装置が、実施の形態１における放送受信機１の機能を備えるようにしてもよいことは、言うまでもない。
この実施の形態３によれば、実施の形態２と同様の効果を得ることができる。
【００４１】
なお、この実施の形態では、車両に搭載されるＡＭラジオ受信機および車両に搭載されるナビゲーション装置として説明したが、この発明の放送受信機およびナビゲーション装置は車両用に限らず、人、車両、鉄道、船舶または航空機等を含む移動体用の放送受信機およびナビゲーション装置であって、特に車両への持ち込みあるいは車載に適した放送受信機およびナビゲーション装置に関するものであり、携帯型ラジオや携帯型ナビゲーション装置等、どのような形態のものにも適用することができる。
【００４２】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００４３】
この発明の放送受信機およびナビゲーション装置は車両用に限らず、人、車両、鉄道、船舶または航空機等を含む移動体用の放送受信機およびナビゲーション装置であって、特に車両への持ち込みあるいは車載に適した放送受信機およびナビゲーション装置に関するものであり、携帯型ラジオや携帯型ナビゲーション装置等、どのような形態のものにも適用することができる。
【符号の説明】
【００４４】
１，２  放送受信機、１０  チューナ、１１  同調部、１２  中間周波数変換部、１３復調部、１４  Ｓメータ検出部、１５  周波数オフセット検出部、１６  振幅変調検出部、２０  制御部、２１  放送局検出保存部、２２  放送局判定部、２３  ノイズレベル算出部、２４  ストップレベル決定部、２５  放送局リスト作成部、２６  位置取得部、２７  時刻取得部、２８  ノイズレベル記憶部、３０  音声出力部、４０  表示部、６０  ナビゲーション装置、６１  位置検出部。
【図１】
2013093956.tif 000003
【図２】
2013093956.tif 000004
【図３】
2013093956.tif 000005
【図４】
2013093956.tif 000006
【図５】
2013093956.tif 000007
【図６】
2013093956.tif 000008
【図７】
2013093956.tif 000009
【手続補正書】
【提出日】平成26年11月11日(2014.11.11)
【手続補正１】
【補正対象書類名】明細書
【補正対象項目名】０００７
【補正方法】変更
【補正の内容】
【０００７】
上記目的を達成するため、この発明は、Ｓメータ検出部を備え、当該Ｓメータ検出部により検出されたＳメータレベルに基づいて放送局サーチを行う放送受信機において、周波数を１ステップずつ切り替えることにより、バンド内の全周波数に対して検出された前記Ｓメータレベルを一時的に保存する放送局検出保存部と、前記放送局検出保存部に一時保存されたＳメータレベルが予め設定された所定値（Ｂ）以上である周波数を放送局の可能性があると判定し、前記Ｓメータレベルが前記所定値（Ｂ）より小さい周波数を放送局の可能性がないと判定する放送局判定部と、前記放送局判定部により前記放送局の可能性がないと判定された周波数全てのＳメータレベルの平均値を求めてノイズレベルを算出するノイズレベル算出部と、前記ノイズレベル算出部により算出されたノイズレベルに基づいて、各周波数が放送局であるか否かの判定に用いるシークストップレベル（Ａ）を決定するストップレベル決定部とを備えたことを特徴とする。
【手続補正２】
【補正対象書類名】明細書
【補正対象項目名】０００８
【補正方法】変更
【補正の内容】
【０００８】
この発明の放送受信機、その放送受信機の放送局サーチ方法、および、その放送受信機を備えたナビゲーション装置によれば、放送局の可能性がないと判定された周波数全てのＳメータレベルから算出されたノイズレベルの平均値を求めて、シークストップレベルをその時の状況に応じて決定することにより、どのような状況であっても、その時の状況に応じた精度の高い放送局サーチを実現することができる。
【手続補正３】
【補正対象書類名】特許請求の範囲
【補正対象項目名】全文
【補正方法】変更
【補正の内容】
【特許請求の範囲】
【請求項１】
Ｓメータ検出部を備え、当該Ｓメータ検出部により検出されたＳメータレベルに基づいて放送局サーチを行う放送受信機において、
周波数を１ステップずつ切り替えることにより、バンド内の全周波数に対して検出された前記Ｓメータレベルを一時的に保存する放送局検出保存部と、
前記放送局検出保存部に一時保存されたＳメータレベルが予め設定された所定値（Ｂ）以上である周波数を放送局の可能性があると判定し、前記Ｓメータレベルが前記所定値（Ｂ）より小さい周波数を放送局の可能性がないと判定する放送局判定部と、
前記放送局判定部により前記放送局の可能性がないと判定された周波数全てのＳメータレベルの平均値を求めてノイズレベルを算出するノイズレベル算出部と、
前記ノイズレベル算出部により算出されたノイズレベルに基づいて、各周波数が放送局であるか否かの判定に用いるシークストップレベル（Ａ）を決定するストップレベル決定部とを備えた
ことを特徴とする放送受信機。
【請求項２】
前記放送局判定部は、
放送局の可能性があると判定された周波数の数が、予め設定された所定の数より多い場合には、少なくとも前記Ｓメータレベルに基づいて、前記放送局の可能性があると判定される周波数の数が前記所定の数以下になるように絞り込みを行い、
当該絞り込みを行った所定の数の周波数を放送局の可能性があると判定し、その他の周波数を放送局の可能性がないと判定する
ことを特徴とする請求項１記載の放送受信機。
【請求項３】
前記ストップレベル決定部は、前記算出されたノイズレベルが予め設定された所定範囲（Ｃ）より高い場合には、前記シークストップレベル（Ａ）を前記所定値（Ｂ）より高く設定し、前記ノイズレベルが前記所定範囲（Ｃ）より低い場合には、前記シークストップレベル（Ａ）を前記所定値（Ｂ）より低く設定することにより、前記算出されたノイズレベルに応じて前記シークストップレベル（Ａ）を可変制御する
ことを特徴とする請求項１記載の放送受信機。
【請求項４】
現在位置を取得する位置取得部と、
現在の日付および時刻を取得する時刻取得部と、
位置ごと、時刻ごと、月または季節ごとの過去のノイズレベルを記憶するノイズレベル記憶部とをさらに備え、
前記ストップレベル決定部は、
前記位置取得部により取得された現在位置と、前記時刻取得部により取得された現在の日付と時刻とに対応する、前記ノイズレベル記憶部に記憶されている過去のノイズレベルを読み出し、
当該読み出した過去のノイズレベルに応じて前記シークストップレベル（Ａ）を可変制御する
ことを特徴とする請求項１記載の放送受信機。
【請求項５】
Ｓメータ検出部を備え、当該Ｓメータ検出部により検出されたＳメータレベルに基づいて放送局サーチを行う放送受信機の放送局サーチ方法であって、
放送局検出保存部が、周波数を１ステップずつ切り替えることにより、バンド内の全周波数に対して検出された前記Ｓメータレベルを一時的に保存するステップと、
放送局判定部が、前記放送局検出保存部に一時保存されたＳメータレベルが予め設定された所定値（Ｂ）以上である周波数を放送局の可能性があると判定し、前記Ｓメータレベルが前記所定値（Ｂ）より小さい周波数を放送局の可能性がないと判定するステップと、
ノイズレベル算出部が、前記放送局判定部により前記放送局の可能性がないと判定された周波数全てのＳメータレベルの平均値を求めてノイズレベルを算出するステップと、
ストップレベル決定部が、前記ノイズレベル算出部により算出されたノイズレベルに基づいて、各周波数が放送局であるか否かの判定に用いるシークストップレベル（Ａ）を決定するステップとを備えた
ことを特徴とする放送受信機の放送局サーチ方法。
【請求項６】
請求項１から請求項４のうちのいずれか１項記載の放送受信機を備えたことを特徴とするナビゲーション装置。
【国際調査報告】
2013093956.tif 000010
2013093956.tif 000011